(57)【要約】      （修正有）【課題】容器内に形成されている収納スペースの密封性を高めることができ、香りの強い食材でも隔離して収納することが可能な弁当箱用容器を提供する。【解決手段】容器本体１と該容器本体１を施蓋する蓋体２とを形成する。収納スペース１Ａの一部に収納する密封用の補助容器３を形成する。補助容器３に収納スペース１Ａ内に収納する収納部１０を形成する。収納部１０の開口内周縁に沿って嵌合内側面を形成する。収納部１０を密封する蓋部２０を形成する。この蓋部２０に嵌合凸部を形成する。収納部１０の嵌合内側面に嵌合凸部を強制的に嵌入する。【選択図】図２
0003225201.tif 000002
【実用新案登録請求の範囲】
【請求項１】
内部に複数の収納スペースを設けた容器本体と該容器本体を施蓋する蓋体とを備えた合成樹脂製の弁当箱用容器において、
収納スペースの一部に収納する密封用の補助容器が形成され、該補助容器は、収納スペース内に収納する収納部と該収納部を密封する蓋部とを備え、
収納部は、該収納部の開口内周縁に沿って形成され内側が凹む嵌合内側面と、該嵌合内側面の上端部から外方向に水平に延長された開口フランジとを備え、
蓋部は、収納部の嵌合内側面に強制的に嵌入する嵌合凸部と、該嵌合凸部の上端部から外方向に水平に延長され前記収納部の開口フランジに重合する重合フランジとを備えたことを特徴とする弁当箱用容器。
【請求項２】
前記補助容器において、前記嵌合内側面の上部側に収納傾斜面を形成すると共に、前記嵌合凸部の外側面に蓋部傾斜面を形成し、該蓋部傾斜面を収納傾斜面に合わせてスライド移動して前記嵌合内側面内に前記嵌合凸部を強制嵌入するように構成した請求項１記載の弁当箱用容器。
【請求項３】
前記補助容器において、前記重合フランジの外側縁の一部からつまみ片を突設し、該つまみ片で施蓋時の前記蓋部を前記収納部から引き上げるように構成した請求項１又は２記載の弁当箱用容器。
【請求項４】
前記補助容器において、前記嵌合内側面の下端部から内方向に水平に延長された水平フランジと、前記嵌合凸部の下端部から内方向に水平に延長された圧接フランジと形成し、施蓋時に水平フランジと圧接フランジとが圧接するように構成した請求項１乃至３いずれか記載の弁当箱用容器。
【請求項５】
前記補助容器において、前記収納部を複数の部屋に隔離する隔離壁を形成すると共に、前記水平フランジを隔離壁の上端部に沿って延長し、前記圧接フランジを隔離壁上の水平フランジまで延長すると共に、延長された前記圧接フランジの下面に隔離壁の上端部両側を挟着する一対の挟着凸部を突設した請求項４記載の弁当箱用容器。
【考案の詳細な説明】
【技術分野】
【０００１】
本考案は、香りの強い食材を隔離する密閉力を備え、収納した食材の移り香を防止することが可能な弁当箱用容器に関する。
【背景技術】
【０００２】
販売用の弁当に使用されている容器は、薄肉の合成樹脂材で形成された容器と蓋体で形成されている。このような容器として例えば、特許文献１や特許文献２などの容器が提案されている。
【０００３】
特許文献１の容器は、容器本体の開口部全体に蓋体を被せる構成である。すなわち、容器の開口部に嵌合する縁部を蓋体の周縁部全体に設けたものである。また、この容器では、容器の収納スペースをリブで複数に区画して収納物を種類に分けて収納する。さらに、蓋体の内側に段部を突設し、この段部を容器内のリブの上端部に当接させることで、施蓋時に容器内の収納スペースを隔離する構成である。
【０００４】
一方、特許文献２の容器は、二個の容器本体を上下に重ねて重箱のように使用するものである。すなわち、上段の容器本体を下段の容器の上に重ね、上段の容器本体を蓋体が施蓋する。さらに、この蓋体の周縁フランジ部と、下段の容器本体の周縁フランジ部とを嵌合させることで、上下の容器を同時に施蓋するというものである。
【先行技術文献】
【特許文献】
【０００５】
【特許文献１】実開平２‐１０２３２３号公報
【特許文献２】特開平１０-２４５０５４号公報
【考案の概要】
【考案が解決しようとする課題】
【０００６】
販売用の弁当箱に使用されている合成樹脂材製の容器では、蓋体の嵌合部分の密封性能に課題がある。たとえば、特許文献１の容器のように、蓋体の段部を容器内のリブの上端部に嵌合させる構成では、収納スペースを隔離しても個々の収納スペースの密封性を高めることは困難である。すなわち、蓋体の段部が容器のリブ上端部に嵌合させるだけでは、蓋体や容器が僅かに撓むだけでこの嵌合部に隙間が生じてしまう。この結果、収納スペース内に香りの強い食材を収納した場合、この強い香りが他の食材に移ってしまう不都合があった。
【０００７】
一方、特許文献２の容器は、上段の容器を施蓋する蓋体で、下段の容器の周縁フランジ部に嵌合保持する構成である。この構成により、上下の容器相互の移り香を防止することは可能になる。しかしながら、上段の容器を施蓋する蓋体は、上段の容器内に形成された収納スペースの密封性能を高めることはできない。その結果、上段容器の各収納スペースに収納した食材の香りが周囲の食材に移り香となる不都合は解消されていない。
【０００８】
香りの強い食材の一つとして例えばキムチがある。このキムチを弁当に用いると、弁当内部の食材全てにキムチの香りが影響してしまい、他の食材の本来の香りや食味に悪影響を与えるおそれがあった。このように、販売用の弁当箱では容器内の密封力が劣るので、香りの強い食材を使用することが困難になっている。
【０００９】
そこで本考案は、上述の課題を解消すべく案出されたもので、容器内に形成されている収納スペースの密封性を高めることができ、香りの強い食材でも隔離して収納することが可能な弁当箱用容器の提供を物的とするものである。
【課題を解決するための手段】
【００１０】
上述の目的を達成すべく本考案における第１の手段は、内部に複数の収納スペース１Ａを設けた容器本体１と該容器本体１を施蓋する蓋体２とを備えた合成樹脂製の弁当箱用容器において、収納スペース１Ａの一部に収納する密封用の補助容器３が形成され、該補助容器３は、収納スペース１Ａ内に収納する収納部１０と該収納部１０を密封する蓋部２０とを備え、収納部１０は、該収納部１０の開口内周縁に沿って形成され内側が凹む嵌合内側面１１と、該嵌合内側面１１の上端部から外方向に水平に延長された開口フランジ１２とを備え、蓋部２０は、収納部１０の嵌合内側面１１に強制的に嵌入する嵌合凸部２１と、該嵌合凸部２１の上端部から外方向に水平に延長され前記収納部１０の開口フランジ１２に重合する重合フランジ２２とを備えたことにある。
【００１１】
第２の手段は、前記補助容器３において、前記嵌合内側面１１の上部側に収納傾斜面１１Ａを形成すると共に、前記嵌合凸部２１の外側面に蓋部傾斜面２１Ａを形成し、蓋部傾斜面２１Ａを収納傾斜面１１Ａに合わせてスライド移動して前記嵌合内側面１１内に前記嵌合凸部２１を強制嵌入するように構成したものである。
【００１２】
第３の手段は、前記補助容器３において、前記重合フランジ２２の外側縁の一部からつまみ片２４を突設し、該つまみ片２４で施蓋時の前記蓋部２０を前記収納部１０から引き上げるように構成している。
【００１３】
第４の手段は、前記補助容器３において、前記嵌合内側面１１の下端部から内方向に水平に延長された水平フランジ１３と、前記嵌合凸部２１の下端部から内方向に水平に延長された圧接フランジ２３と形成し、施蓋時に水平フランジ１３と圧接フランジ２３とが圧接するように構成したものである。
【００１４】
第５の手段は、前記補助容器３において、前記収納部１０を複数の部屋に隔離する隔離壁１４を形成すると共に、前記水平フランジ１３を隔離壁１４の上端部に沿って延長し、前記圧接フランジ２３を隔離壁１４上の水平フランジ１３まで延長すると共に、延長された前記圧接フランジ２３の下面に隔離壁１４の上端部両側を挟着する一対の挟着凸部２５を突設したことにある。
【考案の効果】
【００１５】
本考案の請求項１に記載のごとく、容器本体１の収納スペース１Ａの一部に収納する補助容器３を形成し、この補助容器３は、収納スペース１Ａ内に収納する収納部１０と該収納部１０を密封する蓋部２０とを備えているので、この補助容器３によって収納スペース１Ａ内を独立した空間に隔離することができる。
【００１６】
しかも、収納部１０は、該収納部１０の開口内周縁に沿って形成され内側が凹む嵌合内側面１１と、該嵌合内側面１１の上端部から外方向に水平に延長された開口フランジ１２とを備え、蓋部２０は、収納部１０の嵌合内側面１１に強制的に嵌入する嵌合凸部２１と、該嵌合凸部２１の上端部から外方向に水平に延長され前記収納部１０の開口フランジ１２に重合する重合フランジ２２とを備えているので、収納スペース１Ａを隔離した補助容器３の密閉力が高くなる。この結果、例えば、キムチのように香りが強烈な食材を他の食材と隔離して弁当箱に収納することができる。
【００１７】
請求項２のように、補助容器３は、蓋部傾斜面２１Ａを収納傾斜面１１Ａに合わせてスライド移動して前記嵌合内側面１１内に前記嵌合凸部２１を強制的に嵌入するように構成しているので、補助容器３の収納部１０と蓋部２０との嵌合部分の密封力を高めることができる。したがって、香りの強い食材のほか、水分の多い食材などでも補助容器３内に密封収納することが可能になる。
【００１８】
請求項３のごとく、補助容器３において、前記重合フランジ２２の外側縁の一部からつまみ片２４を突設し、該つまみ片２４で施蓋時の前記蓋部２０を前記収納部１０から引き上げるように構成しているので、収納部１０の嵌合内側面１１に嵌合凸部２１を強制嵌合した蓋部２０でも極めて容易に取り外すことができる。
【００１９】
請求項４の水平フランジ１３と圧接フランジ２３とによると、施蓋時にこれらが圧接することで、より高い密封力が得られるものである。
【００２０】
請求項５のごとく、収納部１０を複数の部屋に隔離する隔離壁１４を形成し、圧接フランジ２３の下面に隔離壁１４の上端部両側を挟着する一対の挟着凸部２５を突設したことにより、補助容器３内を複数に区分けすることができる。しかも、区分けされた各スペースの密封性能を高めることも可能である。
【図面の簡単な説明】
【００２１】
【図１】本考案の容器本体と蓋体との一実施例を示す分解斜視図である。
【図２】本考案の補助容器の一実施例を示す分解斜視図である。
【図３】本考案の補助容器の嵌合内側面と嵌合凸部とを示す断面図である。
【図４】本考案の補助容器の収納状態を示す要部断面図である。
【図５】本考案の補助容器の隔離壁を示す側断面図である。
【図６】本考案の補助容器の収納状態を示す側断面図である。
【図７】本考案の補助容器の収納部を示す平面図である。
【図８】本考案の補助容器の蓋部を示す平面図である。
【考案を実施するための形態】
【００２２】
本考案は、たとえば販売用弁当の容器として使用されている薄肉の合成樹脂材で形成された容器に関するものであり、容器本体１、蓋体２、補助容器３にて構成する。
【００２３】
容器本体１は、内部に複数の収納スペース１Ａを設けたもので、この容器本体１を蓋体２が施蓋して容器本体１の嵌合フランジ１Ｂと蓋体２の嵌合フランジ２Ａとを嵌合させるものである（図１参照）。
【００２４】
補助容器３は、収納スペース１Ａの一部に着脱自在に収納する独立した容器で、収納部１０と、この収納部１０を密封する蓋部２０とで構成している（図２参照）。
【００２５】
収納部１０開口部周辺には、嵌合内側面１１、開口フランジ１２、水平フランジ１３を備えている（図３参照）。嵌合内側面１１は、収納部１０の開口内周縁に沿って内側が凹状を成すように形成された部位で、この嵌合内側面１１の上端部から外方向に開口フランジ１２が水平に延長されている。
【００２６】
また、嵌合内側面１１の上部側に収納傾斜面１１Ａを形成する。この収納傾斜面１１Ａは、後述する蓋部２０の蓋部傾斜面２１Ａに強制嵌合する部位である。
【００２７】
さらに、水平フランジ１３は、嵌合内側面１１の下端部から内方向に水平に延長された部位である。この水平フランジ１３は、施蓋時に、後述する収納部１０の圧接フランジ２３が圧接する部位である。
【００２８】
蓋部２０は、嵌合凸部２１、重合フランジ２２、圧接フランジ２３を備えている（図３参照）。
【００２９】
嵌合凸部２１は、収納部１０の嵌合内側面１１に強制的に嵌入する部位である。この嵌合凸部２１の上端部から外方向に重合フランジ２２が水平に延長されている。この重合フランジ２２は、施蓋時に、前記収納部１０の開口フランジ１２に重合する部位である（図４参照）。
【００３０】
また、嵌合凸部２１の外側面に蓋部傾斜面２１Ａを形成している。この蓋部傾斜面２１Ａは、収納傾斜面１１Ａに合わせてスライド移動することで、前記嵌合内側面１１内に強制嵌入する。このように、施蓋時には、収納傾斜面１１Ａと蓋部傾斜面２１Ａとが強制嵌合した状態になるので、収納部１０から蓋部２０を外しにくくなる。そのため、重合フランジ２２の外側縁の一部につまみ片２４を突設している（図２参照）。このつまみ片２４で施蓋時の蓋部２０を収納部１０から引き上げるものである。
【００３１】
重合フランジ２２は、施蓋時に前記収納部１０の水平フランジ１３に圧接する部位である。この重合フランジ２２は嵌合凸部２１の下端部から内方向に水平に延長されている（図３参照）。
【００３２】
図示の収納部１０には、この収納部１０を複数の部屋に隔離する隔離壁１４を形成している（図５参照）。この隔離壁１４の上端部に沿って、前記水平フランジ１３が延長されている。一方、蓋部２０に形成した圧接フランジ２３を、この隔離壁１４上の水平フランジ１３の位置まで延長している。こうすることで、施蓋時に隔離壁１４上でも水平フランジ１３と圧接フランジ２３とを圧接することができる（図６参照）。
【００３３】
さらに、延長された圧接フランジ２３の下面に挟着凸部２５を突設している（図５参照）。この挟着凸部２５は、隔離壁１４の上端部両側を挟着する一対の部位で、施蓋時に、隔離壁１４上での水平フランジ１３と圧接フランジ２３との圧接力を高めるものである（図６参照）。
【００３４】
尚、本考案の構成において、容器本体１、蓋体２、補助容器３は図示例に限定されるものではなく、収納部１０や蓋部２０等の構成も本考案の要旨を変更しない範囲で自由に設計変更することができる。
【符号の説明】
【００３５】
１  容器本体
１Ａ  収納スペース
１Ｂ  嵌合フランジ
２  蓋体
２Ａ  嵌合フランジ
３  補助容器
１０  収納部
１１  嵌合内側面
１１Ａ  収納傾斜面
１２  開口フランジ
１３  水平フランジ
１４  隔離壁
２０  蓋部
２１  嵌合凸部
２１Ａ  蓋部傾斜面
２２  重合フランジ
２３  圧接フランジ
２４  つまみ片
２５  挟着凸部
【図１】
0003225201.tif 000003
【図２】
0003225201.tif 000004
【図３】
0003225201.tif 000005
【図４】
0003225201.tif 000006
【図５】
0003225201.tif 000007
【図６】
0003225201.tif 000008
【図７】
0003225201.tif 000009
【図８】
0003225201.tif 000010